(57)【要約】  本発明の湾曲パック端部フラップ（２０）は、内方に湾曲した表面を有するあらゆるパックに使用することができる。本発明の湾曲パック端部フラップ（２０）は、折り曲げ縁部（５１）以外の点（３０）で相互に連結された複数のパネル（２７）を含み、パックの形成中に湾曲パック端部フラップ（２０）が取り付けられた面が内方に湾曲される際に端部フラップを変形させる。折り曲げられた湾曲端部フラップは、パックの形成時に第２の面に接着される。相互に連結されたパネル（２７）を有する湾曲パック端部フラップ（２０）は、従来の端部フラップに比べて、位置的精度を維持し、折り曲げ工程中の端部フラップの破損を減少させ、組み立ての際により正確に糊を塗布する機能を有する。
2009526714.tif 000002
【特許請求の範囲】
【請求項１】
湾曲したパックを形成するためのブランクであって、該ブランクは、
前記湾曲パックの少なくとも１つの湾曲面を形成するための面と、
前記面の縁部から延びた少なくとも１つの端部フラップとを含み、
前記少なくとも１つの端部フラップは、前記面の前記縁部以外の点で相互に連結された複数のパネルで形成され、これにより前記面が前記湾曲パックの前記少なくとも１つの湾曲面として形成される際に前記少なくとも１つの端部フラップを湾曲変形させるブランク。
【請求項２】
前記端部フラップが前記面の前記縁部に対向する連続した縁部をさらに含むことを特徴とする請求項１記載のブランク。
【請求項３】
前記複数の各パネルが、前記面の前記縁部から前記連続した縁部に隣接する点まで延びた第１の切れ込みおよび前記端部フラップの側縁部から前記第１の切れ込みに隣接する点まで延びた第２の切れ込みによって形成されていることを特徴とする請求項２記載のブランク。
【請求項４】
前記複数の各パネルが前記少なくとも１つの端部フラップの複数の切れ込みによって形成されていることを特徴とする請求項１記載のブランク。
【請求項５】
前記少なくとも１つの端部フラップが５つの個別のパネルを含むことを特徴とする請求項１記載のブランク。
【請求項６】
前記ブランクが蓋および胴体に分けられる主要部を有し、前記蓋は、湾曲した前面部と、上面部と、２つの側面部と、２つの側部フラップと、湾曲した背面部とを有し、前記胴体は、湾曲した前面部と、底面部と、２つの側面部と、２つの側部フラップと湾曲した背面部とを有し、前記少なくとも１つの端部フラップが湾曲した背面部から延びていることを特徴とする請求項５記載のブランク。
【請求項７】
端部フラップを有する湾曲したパックであって、該パックは、
前記湾曲パックの少なくとも１つの湾曲面と、
前記少なくとも１つの湾曲面の縁部から延びた少なくとも１つの端部フラップとを含み、
前記少なくとも１つの端部フラップは、前記少なくとも１つの湾曲面の前記縁部以外の点で相互に連結された複数のパネルで形成され、これにより前記少なくとも１つの端部フラップを湾曲変形させる湾曲パック。
【請求項８】
前記少なくとも１つの端部フラップが前記少なくとも１つの湾曲面の前記縁部に対向する連続した縁部をさらに含むことを特徴とする請求項７記載の湾曲パック。
【請求項９】
前記複数の各パネルが、前記面の前記縁部から前記連続した縁部に隣接する点まで延びた第１の切れ込みおよび前記端部フラップの側縁部から前記第１の切れ込みに隣接する点まで延びた第２の切れ込みによって形成されていることを特徴とする請求項８記載の湾曲パック。
【請求項１０】
前記少なくとも１つの湾曲面が該湾曲面の前記縁部に対向する第２の縁部から延びた第２端部フラップをさらに含むことを特徴とする請求項９記載の湾曲パック。
【請求項１１】
湾曲した外形および物品を収容する内部空間を有する平行６面体形状の容器をさらに含み、該容器は、蓋と胴体とを含み、該胴体は、互いに対向し、平行な湾曲した前面部および湾曲した背面部と、これら湾曲した前面部と背面部に対して垂直な２つの平行な側面部と、前記前面部、背面部および側面部に対して直行する底面部と、１つの開口端部とを含み、前記湾曲した背面部は、外方に延び、前記底面部の裏面に接着される前記端部フラップを有し、前記蓋は、前記胴体にヒンジ式に取り付けられ、前記胴体に対して、前記開口端部を閉鎖する位置から離れて、またこの位置の方へと移動することが可能であり、かつ、互いに対向し、平行な湾曲した前面部および湾曲した背面部と、これら湾曲した前面部と背面部に対して垂直な２つの平行な側面部と、前記前面部、背面部および側面部に対して直行する上面部とを含み、前記湾曲した背面部は、外方に延び、前記上面部の底面に接着した前記第２端部フラップを有することを特徴とする請求項１０記載の湾曲パック。
【請求項１２】
前記少なくとも１つの端部フラップが少なくとも１つの前記点から延びて前記複数のパネルを区分化する複数の切れ込みをさらに含むことを特徴とする請求項７記載の湾曲パック。
【請求項１３】
前記少なくとも１つの端部フラップが前記複数のパネルの間に位置する少なくとも１つの三角形状の拡大領域をさらに含むことを特徴とする請求項７記載の湾曲パック。
【請求項１４】
前記少なくとも１つの端部フラップが中央のパネルの平行な対向する２つの側部に位置する第１の三角形状の拡大領域と、上下左側パネルと上下右側パネルの間に位置する第２の三角形状の拡大領域とをさらに含むことを特徴とする請求項７記載の湾曲パック。
【請求項１５】
前記複数のパネルが中央パネルを含み、この中央パネルは、これを中心に対称に位置する上方右側および左側パネルと、これら左右のパネルの下で前記中央パネルを中心に対称に位置する下方右側および左側パネルを有することを特徴とする請求項７記載の湾曲パネル。
【請求項１６】
前記上方左側パネル、中央パネルおよび上方右側パネルが前記相互連結する点に位置合わせされた連続した縁部をさらに含むことを特徴とする請求項１５記載の湾曲パック。
【請求項１７】
胴体にヒンジ式に連結された蓋を含み、前記胴体は、湾曲した前面パネルと、底部パネルと、湾曲した背面パネルとを有し、前記蓋は、湾曲した前面パネルと、上面パネルと湾曲した背面パネルとを有し、前記蓋の前記湾曲背面パネルは、外方に延び、かつ、前記蓋の上面パネルの底面に接着した端部フラップを有し、前記端部フラップは、外方の連続した縁部と、前記背面パネルから前記連続した縁部まで延びた少なくとも１つの切れ込みを有するフリップトップ紙巻きタバコパック。
【請求項１８】
前記端部フラップがその側縁部から前記少なくとも１つの切れ込みに隣接する点まで延びた少なくとも１つの側部をさらに含むことを特徴とする請求項１７記載のフリップトップ紙巻きタバコパック。
【請求項１９】
前記連続した縁部が前記端部フラップの上方左側パネルと、中央パネルと、上方右側パネルとをさらに含むことを特徴とする請求項１７記載のフリップトップ紙巻きタバコパック。
【請求項２０】
前記胴体の前記湾曲パックパネルが、このパネルから外方に延び、前記胴体底部パネルの底面に接着した第２の端部フラップを有することを特徴とする請求項１７記載のフリップトップ紙巻きタバコパック。
【請求項２１】
前記端部フラップが前記外方の連続した縁部以外の点で相互に連結された中央パネルと、上方左側パネルと、下方左側パネルと、上方右側パネルと下方左側パネルとをさらに含むことを特徴とする請求項１７記載のフリップトップ紙巻きタバコパック。
【請求項２２】
胴体にヒンジ式に連結された蓋を含み、前記胴体は、湾曲した前面パネル、底部パネルおよび湾曲した背面パネルを有し、前記蓋は、湾曲した前面パネルと、上面パネルと湾曲した背面パネルとを有し、前記蓋の前記湾曲背面パネルは、外方に延び、かつ、前記蓋の上面パネルの底面に接着した端部フラップを有し、前記端部フラップは、外方の連続した縁部を有し、かつ、前記外方の連続した縁部と前記湾曲した背面パネルとの間に交互に配された複数の拡大領域を有するフリップトップ紙巻きタバコパック。
【請求項２３】
前記複数の拡大領域が前記端部フラップを複数の個々のパネルに分割することを特徴とする請求項２２記載のフリップトップ紙巻きタバコパック。
【請求項２４】
前記胴体の前記湾曲背面パネルが、このパネルから外方に延び、前記胴体底部パネルの底面に接着された第２の端部フラップを有することを特徴とする請求項２２記載のフリップトップ紙巻きタバコパック。
【請求項２５】
前記端部フラップが前記外方の連続した縁部以外の点で相互に連結した中央パネルと、上方左側パネルと、下方左側パネルと、上方右側パネルと、下方右側パネルとを有することを特徴とする請求項２２記載のフリップトップ紙巻きタバコパック。
【請求項２６】
前記少なくとも１つの端部フラップが中央のパネルの平行な対向する２つの側部に位置する第１の三角形状の拡大領域と、上下左側パネルと上下右側パネルの間に位置する第２の三角形状の拡大領域とをさらに含むことを特徴とする請求項２５記載のフリップトップ紙巻きタバコパック。
【発明の詳細な説明】
【技術分野】
【０００１】
本発明は、湾曲した端部フラップを有する紙巻きタバコパックに関する。湾曲したパック端部フラップは、相互に連結された複数のパネルで形成され、これらパネルは、湾曲パック端部フラップが取り付けられる側壁面がパックの製造時に湾曲形状に形成される際に変形する機能を有する。
【背景技術】
【０００２】
当業界において種々の端部フラップがパックの湾曲面用に提案されている。図１Ａおよび１Ｂに示す端部フラップは、従来技術の典型的なものである。図１Ａに示すように、これらの端部フラップ６０は、通常、パネル６２を含み、これらのパネルは、面６４の接続縁部からこれと実質的に平行な外方縁部６８まで続いた縁部６６に沿って外方に広がるパネル６２を含む。図１Ｂに示すように、端部フラップが外方に広がることによってパックの組み立て時に面６４を湾曲させ、端部フラップ６０を折り曲げると、扇状に広がった３つのパネルからなる端部フラップが出来上がる。
【０００３】
図１Ａおよび１Ｂに示す端部フラップ６０にはいくつかの不利な点がある。湾曲面用のこれら既存の端部フラップ６０の場合、扇状に広がった個々のパネルは、折り曲げられた縁部以外で相互に連結していない。これら個々の外側に広がったパネルは、端部フラップの総外方周囲長さ、総表面被覆領域およびパックの組み立て時に扱われる端部フラップの個々のパネルの数を増加させ、これによりパックの組み立て中にパックの移動部または固定部で引っかかったり、破損したりする可能性が増加することになる。さらにはこの端部フラップは、単独の端部フラップの代わりに、それぞれ折り曲げて、位置決めしなければならない３つの個々に外方に広がったパネルを有するので、これにより各外側に広がったパネルを正確に位置決めすることが困難になるという欠点がある。さらには、外側に広がったパネルの位置の正確性が一定でないと、糊付けを正確に行えず、かつ、３つの外側に広がったパネルは、変形時にパネルが互いに離れてしまう場合、大きな隙間を有するので、糊付けがこれら隙間に塗布される可能性が大きくなってしまうという欠点もある。この変形によって余分な糊が意図するパネルを越えて塗布される領域が多くなってしまう。
【発明の開示】
【発明が解決しようとする課題】
【０００４】
本発明は、湾曲した紙巻きタバコパック用に湾曲するパック端部フラップに関する。この湾曲パック端部フラップは、丸みを帯びたまたは縁取りされたパックまたは湾曲した面を有するあらゆるパックに使用することが可能である。この湾曲パック端部フラップは、折り曲げられる縁部以外の部分で相互に連結された複数のパネルを含み、湾曲パック端部フラップが取り付けられた面がパックの形成中に湾曲する際に端部フラップを変形させる。折り曲げられた湾曲端部フラップは、湾曲したパックの形成中に第２の面に固定される。湾曲した面に隣接し、かつ、平行な湾曲パック端部フラップの縁部は、パックの組み立て中の湾曲したパック端部フラップの折り曲げ、変形時に湾曲した面に連結されたままである。
【０００５】
従って、本発明の一般的な目的は、折り曲げ端部以外の部分では互いに連結してなく、折り曲げ工程で裂けてしまう場合があって、パックの製造を困難にする複数のパネルを有する端部フラップに代わる湾曲パック端部フラップを提供することである。
【０００６】
また本発明は、端部フラップがブランクの平坦な状態から９０度折り曲げ、側壁表面を湾曲させる場合のパックの組み立て時に端部フラップパネルを調節する上述の湾曲パック端部パネルを提供することも目的としている。
【０００７】
さらに本発明は、表面被覆領域を集約し、組み立て時にパネルを正確に配置して糊付けを一定かつ正確に行える上述したような湾曲パック端部フラップを提供することも目的としている。
【０００８】
本発明のその他の目的および利点を本発明の態様を例示した添付の図面を参照した説明により明らかになるはずである。
【０００９】
図面に示した本発明の湾曲パック端部フラップは、正確に配置できるように機能し、組み立て工程時の機械による取り扱いの際の破断の可能性を抑え、組み立て時の糊の塗布をより正確に行えるようにする。
【００１０】
図２に平坦なダイカットブランク１を示す。このブランクは、ある長さの（図示せず）厚紙などの包装材のウェブを形取りし、打ち抜きして作製される。このブランク１は、図３および４に示す剛性のある湾曲パック２を作製するために使用され、このパックは、紙巻きタバコなどの製品（図示せず）の束を保持するように設計されている。この湾曲したパック２は、剛性を有するヒンジ式蓋付きのパックであり、このパックは、開口した頂端部７（図４）を有するカップ状の容器胴体６と、この容器６にヒンジ式に取り付けられ、容器胴体と類似のカップ形状の蓋８を含む実質的に平行６面体形状を有し、蓋８は、図４に示す蓋が開いた位置と図３に示す蓋８が閉じた位置の間で回転自在である。
【００１１】
図２、３および４に示すように、カップ状の容器胴体６は、相互に対向し、実質的に平行な凸面をなす前面部９と背面部１０と、これら前面部９と背面部１０に対して実質的に垂直であって相互に対向し、実質的に平行な２つの側面部１１と、これら前面部９、背面部１０および側面部１１に対して直交して配置された底部パネル１２とを有する。
【００１２】
蓋８は、相互に対向し、実質的に平行な湾曲した前面部１３と湾曲した背面部１４と、これら前面部９と背面部１０に対して実質的に垂直であって相互に対向し、実質的に平行な２つの側面部１５と、これら前面部１３、背面部１４および側面部１５に対して直交して配置された頂部パネル１６とを有する。
【００１３】
蓋８は、湾曲した折り目状のヒンジ線１７（図４）に沿ってパック２の背面部１０に取り付けられ、このヒンジ線を中心に蓋８が上記した開放位置と閉鎖位置の間で回転することができる。容器胴体６と蓋８の湾曲した前面部９および１３と、側面部１１および１５は、対応する自由縁部９ａ、１３ａ、１１ａおよび１５ａ（図４）を有し、これらが蓋８と容器胴体６との間の境界線４６を定めている（図３）。
【００１４】
図４に示すように剛性を有する湾曲パック２は、容器胴体６の内側に固定された補強内方フレーム５を含み、これは容器胴体６の内部に配置される部分５ａと開口頂端部７を越えて突出し、蓋８が閉じた状態にあるときに蓋８を支持し、抑止する部材の役割を果たす。内方フレームについては詳しく示していないが、当然のことながら本発明で使用される内方フレームには多くの変形例がある。
【００１５】
図３および４に例示した湾曲パック２は、一般的な湾曲パックの代表例に過ぎず、当然のことながら本発明の端部フラップが使用できる湾曲パックには多くの変形例がある。
【００１６】
図２に示すように、ダイカットブランク１は、基本的に対称長手方向軸４１に対して全体的にほぼ矩形であり、基本的に同一軸４１に沿って配置された３つの部分、即ち背部Ａと、前および側部Ｂと、重なり部Ｃとで構成されている。
【００１７】
また図２に示すブランク１は、２つの平行な縁部４９、５０を含む。これら縁部４９、５０は、種々のパネルのために予め薄く形成された折り曲げ線５１を含み、これら種々のパネルは、容器６および蓋８の種々の面を形成または補強する。
【００１８】
背部Ａに関して、図２、３、４および５に示すように、湾曲した折り目のついたヒンジ線１７は、蓋８をその開放位置および閉鎖位置から回転させることができ、湾曲した背面部を１０と１４に分割する。また前および側部Ｂに関し、境界４６の破断線は、湾曲した前面部９、１３および湾曲した側面部１１、１５を２つの部分に分割し、線引きし、これによって蓋８と容器胴体６の境界が形成される。図２および５に示すように、重なり部Ｃは、図３および４に示すように湾曲した実質的に平行６面体形状のパックを形成するために湾曲した背部Ａの一部と重なる部分である。重なり部Ｃと背部Ａとが重なることによって、折り目線４５が湾曲した折り目ヒンジ線１７と位置合わせされ、これによって蓋８を開閉させる。
【００１９】
図２には示していないが、パネル９、１０および１１は、長手方向縁部４９および５０間で延びている複数の相互に平行な折り目線によって離隔してもよい。これら平行な折り目線がある場合、これら線は、丸みを帯びた縁部を有する容器６と蓋８を形成する上で役に立つ。
【００２０】
さらに図２、４および５に示すように２つの互いに平行な縁部４９および５０は、予め薄く形成された折り目線５１を有し、これら折り目線は、種々のフラップおよび端部パネルに組み込まれており、これらフラップおよびパネルは、種々の面を形成または補強する役割を果たす。蓋８に組み込まれているのは上部パネル１６と、２つの上側部フラップ１８と湾曲したパック端部フラップ２０である。胴体部６に組み込まれているのは、底部パネル１２と、２つの底側部フラップ１９と湾曲したパック端部フラップ２０である。
【００２１】
側部フラップ１８および１９は、上部パネル１６および底部パネル１２をそれぞれ中心に両側に対照に配置され、、各長手方向縁部４９および５０から延びている。上部パネル１６および底部パネル１２は、境界線４６の中間地点に取り付けられ、これらの中心が合わせられており、各長手方向縁部４９および５０からそれぞれ延びている。湾曲パック端部フラップ２０は、両方とも背面１０および１４に中心が合わせられ、各背面部１０、１４の連続した内方縁部２６に位置し、各長手方向縁部４９、５０からそれぞれ延びている。
【００２２】
湾曲パック端部フラップ２０をダイカットブランク１に表されているように変形前の形状で図２および６Ａに示す。湾曲した紙巻きタバコパック２（図３、４および５）の形成中、湾曲パック端部フラップ２０は、上部パネル１６および底部パネル１２を紙巻きタバコパックの胴体６と蓋８にそれぞれ接着させる。紙巻タバコパックの平坦な面から延びた従来の端部フラップは、パックの形成中に端部フラップに加わる緊張を発生させないが、本発明の湾曲したパック端部フラップ２０は、拡大領域３２、３４を有し、これらの領域は、湾曲紙巻きタバコパック２の端部フラップが延びた面（図５および６Ｂ）を湾曲させることによって発生する緊張を緩和することができる。図２および６Ａに示すように湾曲パック端部フラップ２０は、相互に連結され、切れ込みによって形成された５つのパネル２７を含む。これら切れ込み２１および２２は、背面部１０、１４の各長手方向縁部４９、５０において同位置に配された内方縁部２６から、湾曲したパック端部フラップの対向した外方連続縁部２５へと延びているが、この外方縁部までは破断していない。背面部１０、１４の折り目線５１は、湾曲パック端部フラップ２０の内方の連続した縁部２６において同じ位置に配置されている。２つの切れ込み２３、２４は、折り目線５１に実質的に平行であり、湾曲パック端部フラップ２０の各実質的に垂直な縁部２８から各対応する切れ込み２１および２２へと延びているが、切れ込み２１、２２までは達していない。一方、切れ込み２３および２４は、湾曲パック端部フラップの各実質的に垂直な縁部まで切れ込んでいる。
【００２３】
図４、５および６Ｂに湾曲したパック端部フラップ２０を主要パック胴体の背面部１０および蓋の背面部１４を湾曲させ、湾曲パック端部フラップ２０を折り曲げ線５１に沿って各対応する上部パネル１６および底部パネル１２に固定される位置に折り曲げることによって形成された変形形状に示す。図６Ａおよび６Ｂには湾曲パック端部フラップ２０をさらに細かく２７Ａ、２７Ｂ、２７Ｃ、２７Ｄおよび２７Ｅとして示している。湾曲パック端部フラップ２０のパネル２７は、複数の点３０で連結されており、これにより湾曲パック端部フラップ２０のパネル２７は相互に連結されている。切れ込み２１および２３の組み合わせにより上方左側パネル２７Ａおよび下方左側パネル２７Ｂが形成される。切れ込み２１および２２の組み合わせにより中央パネル２７Ｃが形成される。切れ込み２２および２４の組み合わせによって上方右側パネル２７Ｄおよび下方右側パネル２７Ｅが形成される。外方の連続した縁部２５は、パネル２７Ａ、２７Ｃおよび２７Ｄの複数の点３０での相互連結で構成されている。内方の連続した縁部２６は、パネル２７Ｂ、２７Ｃおよび２７Ｅの複数の点３０での相互連結で構成されている。
【００２４】
図４、５、６Ａおよび６Ｂに示すように、切れ込み２１、２２、２３および２４は、周囲が囲まれた三角形状の拡大領域３２および一部開口している三角形状の拡大領域を形成し、これにより湾曲パック端部フラップ２０の緊張が緩和した変形を可能にする。切れ込み２３は、上方左側パネル２７Ａと下方左側パネル２７Ｂ間で一部開口した三角形状の拡大領域３４を形成する。切れ込み２４は、上方右側パネル２７Ｄおよび下方右側パネル２７Ｅ間で一部開口した三角形状の拡大領域２７Ｅを形成する。各切れ込み２３、２４によって形成される一部が開口した三角形状の拡大領域３４は、それぞれ連続した境界縁部を有していない。周囲が囲まれた三角形状の拡大領域３２は、中央パネル２７Ｃの両側に位置している。切れ込み２１によって形成される周囲が囲まれた三角形状の拡大領域３２の１つは、パネル２７Ａ、２７Ｂおよび２７Ｃの間に位置している。切れ込み３２によって形成される別の周囲が囲まれた三角形状の拡大領域は、パネル２７Ｄ、２７Ｅおよび２７Ｃの間に位置している。周囲が囲まれた三角形状の拡大領域３２は、それぞれ中央パネル２７Ｃと上下左側パネル２７Ａ、２７Ｂそれぞれまたは上下右側パネル２７Ｄ、２７Ｅそれぞれの組み合わせによって形成された連続した境界縁部を有する。
【００２５】
湾曲パック端部フラップ２０は、各点３０で相互に連結された相互連結パネル２７を含み、従来の離隔した端部フラップ６０（図１Ａおよび１Ｂ）と比較して、パネル間の連続性を維持し、より簡単な端部フラップを形成する。本発明の複数の点３０でパネル２７を相互に連結することによって、湾曲パック端部フラップの総周囲長を最小限にすることができ、湾曲パック端部フラップの総表面被覆領域を減少させ、湾曲パック端部フラップを実質的に一体化することができる。これによってパックの組み立て中に湾曲パック端部フラップは、それが折り曲げられたときに、パックの移動部分または静止部分上で破損したり、引っ掛かったりする可能性を減少させる。湾曲パック端部フラップ２０を変形させて相互に連結されたパネル２７を維持することによって得られる別の利点は、機械処理の間、湾曲パック端部フラップの引っ掛かりおよび破損を最小限にする外方の連続した縁部を湾曲パック端部フラップが有するということである。また湾曲パック端部フラップ２０は、従来の３つの外側に広がるパネル６２（図１Ｂ）ではなく、実質的に１つの相互に連結されたパネルであり、これによりパックの組み立て中の湾曲パック端部フラップの配置および取り扱いを正確に行うことができる。さらには湾曲パック端部フラップ２０の相互に連結されたパネル２７が従来の外側に広がる端部フラップ（図１Ａおよび１Ｂ）より覆う面積が小さく、糊の塗布の際に正確に位置決めすることができるという利点もある。これによって過剰な糊が無駄になるまたはパネルに誤って塗布され得る隙間ができるのを最小限にすることができる。
【００２６】
湾曲パック端部フラップ２０を添付図面に詳細に示したが、これは、本発明の１つの態様の単なる例示に過ぎない。本発明で使用することができるパネル２７の数および形状並びにパックの湾曲面に使用するために相互に接続されたパネルを維持するための相互接続点３０の数には多くの変形例がある。
【００２７】
本発明の特定の形状を例示し、説明してきたが、本発明は、当該限定事項が添付の特許請求の範囲およびその機能的同等物に含まれる場合の除いてこれら特定の形状に限定されるものではない。
【図面の簡単な説明】
【００２８】
【図１Ａ】従来の端部フラップが延びている面をパックの組み立て時に折り曲げ、湾曲する前の端部フラップの変形される前の形状を示す平面図である。
【図１Ｂ】従来の端部フラップが延びている面をパックの組み立て時に折り曲げ、湾曲した後の端部フラップの変形した形状を示す平面図である。
【図２】湾曲パック端部フラップが組み込まれたダイカットブランクの平坦な状態を示す平面図である。
【図３】図２に例示したブランクから作製したヒンジ式蓋付きパックの斜視図である。
【図４】図３に例示したヒンジ式蓋付きパックのふたを開いた状態に示す斜視図である。
【図５】側部フラップと湾曲パック端部フラップの組み立て時の位置を例示するために一部切り欠いて示した図３の湾曲パックの上部パネルの平面図である。
【図６Ａ】湾曲パック端部パネルが延びた面をパックの組み立ての際に折り曲げ、湾曲させる前の湾曲パック端部パネルの変形前の形状を示す平面図である。
【図６Ｂ】湾曲パック端部パネルが延びた面をパックの組み立ての際に折り曲げ、湾曲させた後の湾曲パック端部パネルの変形した形状を示す平面図である。
【図１Ａ】
2009526714.tif 000003
【図１Ｂ】
2009526714.tif 000004
【図２】
2009526714.tif 000005
【図３】
2009526714.tif 000006
【図４】
2009526714.tif 000007
【図５】
2009526714.tif 000008
【図６Ａ】
2009526714.tif 000009
【図６Ｂ】
2009526714.tif 000010
【国際調査報告】
2009526714.tif 000011
2009526714.tif 000012